(57)【特許請求の範囲】
【請求項１】
ドアまたはそのドアの近辺に配設され、所定のＩＤコードを読み込んで、そのＩＤコードに基づいてドア錠を施解錠するとともに、そのドア錠の施解錠状態に基づいて所定の報知手段を動作させるドアロック装置であって、
前記ドア錠の施解錠状態を検出する検出部を複数備え、それら検出部が前記ドア錠に接続されているか否かを自動的に判断するとともに、前記ドア錠への接続が検知された前記検出部の検出結果に基づいて、前記報知手段を動作させることにより、異なる数のドア錠を有する種々のドアのいずれにも適用可能、すなわち当該ドアが有するドア錠の施解錠状態のみに基づく報知動作が可能であり、
前記検出部は、前記ＩＤコードを読み込んだ後の所定時間及び駆動信号の出力後の所定時間にのみ動作され、
前記ＩＤコードを読み込んだ後に前記検出部が動作され、前記ドア錠の施解錠状態が検出された検出部と対応するドア錠が施解錠された後に同検出部が再び動作され、その検出結果に基づいて報知手段が動作されることを特徴とするドアロック装置。
【請求項２】
当該ドアロック装置は、前記検出部によって前記ドア錠の施錠状態及び解錠状態をいずれも検出できないときに、同検出部が前記ドア錠に接続されていないと判断することを特徴とする請求項１に記載のドアロック装置。
【発明の詳細な説明】
【０００１】
【発明の属する技術分野】
本発明は、例えば住宅の玄関に用いられるドアロック装置に関するものである。
【０００２】
【従来の技術】
一般に、住宅や車両等のドア錠は、ドアに設けられた鍵穴に機械的なキーを挿入して回動することにより、施錠・解錠されるようになっている。
【０００３】
しかし近年では、操作性及びセキュリティの向上を目的に、ＩＤコードを用いた電子キーシステムも提案されている。この電子キーシステムは、所定のＩＤコードが記録された電子キーと、そのＩＤコードを読み取るためのドアロック装置とから構成されている。こうした電子キーシステムとして、ドアロック装置に設けられたカードリーダに電子キーを接触させることによって、ドアロック装置にＩＤコードを読み込ませるものがある。また、電子キーに設けられた送信ボタンを押すことによって、ＩＤコードを含む無線信号を電子キーからドアロック装置に送信させて、ドアロック装置にＩＤコードを読み込ませるものもある。いずれのタイプも、ドアロック装置は、読み取ったＩＤコードと、予め設定されたＩＤコードとを比較する。そして、それらＩＤコード同士が一致したときにドア錠駆動手段を駆動するための駆動信号を出力し、ドア錠を施解錠させるようになっている。すなわち、電子キーによる操作が行われることによってドア錠が施解錠されるようになっている。
【０００４】
ところで、従来、こうしたドアロック装置にはドア錠の施解錠状態を検出する検出部が設けられ、この検出部により、電子キーの操作に基づいてドア錠が駆動されたか否かを検出するようになっている。また、ドアロック装置には、ブザーや表示部等からなる報知手段が接続されている。そして、ドアロック装置は、電子キーの操作に基づくドア錠の施解錠が完了したとき、または、電子キーが操作されたにもかかわらずドア錠が施解錠されなかったときに、報知手段を動作させてその旨を報知するようになっている。これにより、所有者は電子キーの操作後にドア錠の施解錠状態を容易に認識することができるようになり、ドア錠のセキュリティレベルが高くなる。
【０００５】
また、ドアの種類によっては、ドア錠を１つだけ備えたものや、ドア錠を２つ以上備えたものがある。よって、ドアロック装置は、これら種々のドアに適用できるように、複数のドア錠を施解錠可能となっている。すなわち、ドアロック装置には、ドア錠に対して駆動信号を出力する駆動信号出力部と、そのドア錠の施解錠状態を検出可能な検出部とからなるドア錠接続部が複数設けられている。
【０００６】
【発明が解決しようとする課題】
しかしながら、こうしたドアロック装置を例えばドア錠を１つだけ備えたドアに用いた場合には、１つのドア錠接続部のみがドア錠に接続され、他のドア錠接続部についてはドア錠に接続されない状態となる。このため、ドア錠に接続されたドア錠接続部に属する検出部においてはドア錠の施解錠状態を検出するものの、他の検出部においては施解錠状態を検出することができない。よって、こうした場合には、報知手段が誤動作してしまうため、各検出部の検出結果に基づいて報知手段を正確に動作させることができない。
【０００７】
そこで、従来では、ドアロック装置にディップスイッチ等を設け、このスイッチを予め設定することによって、ドア錠に接続されたドア錠接続部を特定できるようにしていた。そして、ドア錠に接続されたドア錠接続部に属する検出部の検出結果のみに基づいて報知手段を動作させるようにしていた。
【０００８】
ところが、スイッチ等による設定変更作業は手動で行う必要があるため、その操作が煩雑であった。しかも、こうした設定変更作業をし忘れるおそれもあった。
【０００９】
本発明はこうした実情に鑑みてなされたものであり、その目的は、報知手段の誤動作を防止するとともに、異なる数のドア錠を有する種々のドアに対して煩雑な操作を行うことなく適用させることができるドアロック装置を提供することにある。
【００１０】
【課題を解決するための手段】
上記の課題を解決するために、請求項１に記載の発明では、ドアまたはそのドアの近辺に配設され、所定のＩＤコードを読み込んで、そのＩＤコードに基づいてドア錠を施解錠するとともに、そのドア錠の施解錠状態に基づいて所定の報知手段を動作させるドアロック装置であって、前記ドア錠の施解錠状態を検出する検出部を複数備え、それら検出部が前記ドア錠に接続されているか否かを自動的に判断するとともに、前記ドア錠への接続が検知された前記検出部の検出結果に基づいて、前記報知手段を動作させることにより、異なる数のドア錠を有する種々のドアのいずれにも適用可能、すなわち当該ドアが有するドア錠の施解錠状態のみに基づく報知動作が可能であり、前記検出部は、前記ＩＤコードを読み込んだ後の所定時間及び駆動信号の出力後の所定時間にのみ動作され、前記ＩＤコードを読み込んだ後に前記検出部が動作され、前記ドア錠の施解錠状態が検出された検出部と対応するドア錠が施解錠された後に同検出部が再び動作され、その検出結果に基づいて報知手段が動作されることを要旨とする。
【００１１】
請求項２に記載の発明では、請求項１に記載のドアロック装置において、当該ドアロック装置は、前記検出部によって前記ドア錠の施錠状態及び解錠状態をいずれも検出できないときに、同検出部が前記ドア錠に接続されていないと判断することを要旨とする。
【００１３】
以下、本発明の「作用」について説明する。
請求項１又は２に記載の発明によると、各検出部がドア錠に接続されているか否かが自動的に判断される。そして、報知手段は、ドア錠への接続が検知された検出部の検出結果に基づいて動作されるようになっている。このため、例えば２つの検出部を備えるドアロック装置を１つのドア錠を備えるドアに配設した場合には、そのドア錠に接続された検出部の検出結果によってのみ報知手段が動作される。すなわち、ドア錠に接続されていない検出部の検出結果に基づいて報知手段は動作されない。よって、このドアロック装置を異なる数のドア錠を有する種々のドアに用いても、報知手段が誤動作することが確実に防止され、ドア錠の数に応じて自動的に対応させることができる。したがって、手動操作による設定変更作業が不要となり、そのためのスイッチ等も不要となる。
また、検出部は、ＩＤコードを読み込んだ後の所定時間とドア錠を施解錠した後の所定時間とのみに動作されるようになっている。すなわち、検出部は、必要なときにのみ動作されるようになっている。このため、検出部を常時動作させる場合に比べて消費電力を低く抑えることができる。
ここにＩＤコードを読み込んだ後に検出部が動作され、ドア錠の施解錠状態が検出された検出部と対応するドア錠が施解錠された後に同検出部が再び動作され、その検出結果に基づいて報知手段が動作される。
【００１４】
請求項２に記載の発明によると、検出部によってドア錠の施錠状態及び解錠状態をいずれも検出できないときに、同検出部がドア錠に接続されていないと判断するようになっている。すなわち、検出部の検出結果を利用して検出部がドア錠に接続されているか否かを判断するようになっている。このため、検出部がドア錠に接続されているか否かを判断するためのセンサ等を別途設ける必要がなく、部品点数の増加を防止することができる。
【００１６】
【発明の実施の形態】
以下、本発明を具体化した一実施形態を図１〜図３に基づき詳細に説明する。
図１に示すように、ドアロック装置としてのマイクロコンピュータ（マイコン）１１には、第１駆動回路１２、第２駆動回路１３、第１ドア錠１４、第２ドア錠１５、指令回路１６及び報知手段としてのブザー１７が接続されている。
【００１７】
マイコン１１は、具体的には図示しないＣＰＵ、ＲＯＭ、ＲＡＭ等からなるＣＰＵユニットによって構成され、図示しないドアまたはそのドアの近辺に配設されている。このマイコン１１には、第１駆動信号出力端子Ｄｖ１と、第１施錠検出端子Ｌｓ１及び第１解錠検出端子Ｕｓ１とからなる検出部としての第１ドア錠端子部１１ａが設けられている。また、マイコン１１には、第２駆動信号出力端子Ｄｖ２と、第２施錠検出端子Ｌｓ２及び第２解錠検出端子Ｕｓ２とからなる検出部としての第２ドア錠端子部１１ｂが設けられている。すなわち、本実施形態におけるマイコン１１は、２つのドア錠端子部１１ａ，１１ｂを備えている。換言すれば、マイコン１１は、２つの検出部を備えている。
【００１８】
第１ドア錠１４は、モータ１４ａによって電気的に施解錠される電気錠であり、３接点式の第１スイッチ１４ｂを備えている。モータ１４ａには、第１駆動回路１２が接続されている。すなわち、第１駆動回路１２は、モータ１４ａのモータドライバである。この第１駆動回路１２は、マイコン１１の第１駆動信号出力端子Ｄｖ１に接続されている。そして、第１駆動回路１２は、第１駆動信号出力端子Ｄｖ１から出力された所定の駆動信号に基づいてモータ１４ａを駆動し、ドア錠１４を施錠または解錠させるようになっている。
【００１９】
第１スイッチ１４ｂは、接点ＣＰ３を可動接点とし、接点ＣＰ１または接点ＣＰ２に選択的に接続されるスイッチである。詳しくは、この第１スイッチ１４ｂは、ドア錠１４が施錠状態のときに接点ＣＰ１と接点ＣＰ３との接続状態となり、同ドア錠１４が解錠状態のときに接点ＣＰ２と接点ＣＰ３との接続状態となる。そして、接点ＣＰ３は接地されており、接点ＣＰ１はマイコン１１の第１施錠検出端子Ｌｓ１に接続され、接点ＣＰ２は第１解錠検出端子Ｕｓ１に接続されている。
【００２０】
第２ドア錠１５は、モータ１５ａによって電気的に施解錠される電気錠であり、３接点式の第２スイッチ１５ｂを備えている。モータ１５ａには、第２駆動回路１３が接続されている。すなわち、第２駆動回路１３は、モータ１５ａのモータドライバである。この第２駆動回路１３は、マイコン１１の第２駆動信号出力端子Ｄｖ２に接続されている。そして、第２駆動回路１３は、第２駆動信号出力端子Ｄｖ２から出力された所定の駆動信号に基づいてモータ１５ａを駆動し、ドア錠１５を施錠または解錠させるようになっている。
【００２１】
第２スイッチ１５ｂは、接点ＣＰ６を可動接点とし、接点ＣＰ４または接点ＣＰ５に選択的に接続されるスイッチである。詳しくは、この第２スイッチ１５ｂは、ドア錠１５が施錠状態のときに接点ＣＰ４と接点ＣＰ６との接続状態となり、同ドア錠１５が解錠状態のときに接点ＣＰ５と接点ＣＰ６との接続状態となる。そして、接点ＣＰ６は接地されており、接点ＣＰ４はマイコン１１の第２施錠検出端子Ｌｓ２に接続され、接点ＣＰ５は第２解錠検出端子Ｕｓ２に接続されている。
【００２２】
指令回路１６は、例えば赤外線受光器、電波受信機、カードリーダ、暗証入力スイッチなどからなり、外部から入力された所定のＩＤコードを含む指令信号をマイコン１１に出力するようになっている。
【００２３】
ブザー１７は、マイコン１１から駆動信号が出力されたときに作動するようになっている。
次に、本実施形態における各ドア錠１４，１５の施解錠動作時にマイコン１１によって行われる処理動作を、図２及び図３に示すフローチャートに従って説明する。
【００２４】
まず、ステップＳ１においてマイコン１１は、指令回路１６からの指令信号があるか否かを判断する。そして、指令信号があればステップＳ２へ移行し、指令信号がなければここでの処理を一旦終了する。
【００２５】
ステップＳ２では、マイコン１１は、第１ドア錠１４の施解錠状態を検出する。この第１ドア錠１４の施解錠検出時には、マイコン１１は、第１施錠検出端子Ｌｓ１及び第１解錠検出端子Ｕｓ１から所定の電圧を出力する。ここで、第１ドア錠１４が施錠状態であれば、第１スイッチ１４ｂの可動接点ＣＰ３はＣＰ１に接続されているため、第１施錠検出端子Ｌｓ１の電圧レベルはＬレベルとなる。これに対して、第１ドア錠１４が解錠状態であれば、第１スイッチ１４ｂの可動接点ＣＰ３はＣＰ２に接続されているため、第１解錠検出端子Ｕｓ１の電圧レベルはＬレベルとなる。すなわち、マイコン１１は、各検出端子Ｌｓ１，Ｕｓ１のうちのどちらがＬレベルとなっているかを検出することにより、第１ドア錠１４の施解錠状態を検出する。なお、こうした第１ドア錠１４の施解錠検出動作は、所定時間のみ行われる。すなわち、各検出端子Ｌｓ１，Ｕｓ１には、所定時間のみ電圧が出力される。
【００２６】
次に、マイコン１１は、ステップＳ３に移行して、ステップＳ２にて第１ドア錠１４の施錠状態または解錠状態を検出できたか否かを判断する。そして、マイコン１１は、第１ドア錠１４の施錠状態または解錠状態を検出できたときにはステップＳ４へ移行し、同第１ドア錠１４の施錠状態または解錠状態を検出できないときにはステップＳ７へ移行する。
【００２７】
ステップＳ４においてマイコン１１は、第１駆動信号出力端子Ｄｖ１から、指令信号に基づく駆動信号を出力する。これにより、第１駆動回路１２は、その駆動信号に基づいてモータ１４ａを駆動する。このとき、第１駆動回路１２は、施錠すべき旨の駆動信号を受けた場合には同ドア錠１４を施錠させ、解錠すべき旨の駆動信号を受けた場合には同ドア錠１４を解錠させる。
【００２８】
続いて、マイコン１１は、ステップＳ５に移行して、ステップＳ２と同様に第１ドア錠１４の施解錠状態を検出する。そして、マイコン１１は、その検出結果に基づき、ステップＳ６にて、駆動信号に従って第１ドア錠１４が駆動されたか否かを判断する。ここで、マイコン１１は、第１ドア錠１４が駆動されたときにはステップＳ７へ移行し、同ドア錠１４が駆動されていないときにはステップＳ８へ移行してブザー１７を作動する。
【００２９】
ステップＳ７においてマイコン１１は、第２ドア錠１５の施解錠状態を検出する。この第２ドア錠１５の施解錠検出時には、マイコン１１は、第２施錠検出端子Ｌｓ２及び第２解錠検出端子Ｕｓ２から所定の電圧を出力する。そして、マイコン１１は、各検出端子Ｌｓ２，Ｕｓ２のうちのどちらがＬレベルとなっているかを検出することにより、第２ドア錠１５の施解錠状態を検出する。なお、こうした第２ドア錠１５の施解錠検出動作は、所定時間のみ行われる。すなわち、各検出端子Ｌｓ２，Ｕｓ２には、所定時間のみ電圧が出力される。
【００３０】
次に、マイコン１１は、ステップＳ９に移行し、第２ドア錠１５の施錠状態または解錠状態を検出できたか否かを判断する。そして、マイコン１１は、第２ドア錠１５の施錠状態または解錠状態を検出できたときにはステップＳ１０へ移行し、同第２ドア錠１５の施錠状態または解錠状態を検出できないときにはここでの処理を一旦終了する。
【００３１】
ステップＳ１０では、マイコン１１は、第２駆動信号出力端子Ｄｖ２から、指令信号に基づく駆動信号を出力する。これにより、第２駆動回路１３は、その駆動信号に基づいてモータ１５ａを駆動する。このとき、第２駆動回路１３は、施錠すべき旨の駆動信号を受けた場合には同ドア錠１５を施錠させ、解錠すべき旨の駆動信号を受けた場合には同ドア錠１５を解錠させる。
【００３２】
続いて、マイコン１１は、ステップＳ１１に移行して、ステップＳ７と同様に第２ドア錠１５の施解錠状態を検出する。そして、マイコン１１は、その検出結果に基づき、ステップＳ１２にて、駆動信号に従って第２ドア錠１５が駆動されたか否かを判断する。ここで、マイコン１１は、第２ドア錠１５が駆動されたときにはここでの処理を一旦終了し、、同ドア錠１５が駆動されていないときにはステップＳ８へ移行してブザー１７を作動する。
【００３３】
したがって、本実施形態によれば以下のような効果を得ることができる。
（１）従来では、例えば図１に２点鎖線で示すように、マイコン１１には、ディップスイッチ等からなるスイッチ２１が接続されていた。そして、このスイッチ２１のＯＮ・ＯＦＦ状態に応じて、ドア錠１４，１５に接続されたドア錠端子部１１ａ，１１ｂを特定できるようにしていた。例えば、スイッチ２１がＯＮ状態に設定されているときには、各ドア錠端子部１１ａ，１１ｂにそれぞれドア錠１４，１５が接続されているものとしていた。また、スイッチ２１がＯＦＦ状態に設定されているときには、第１ドア錠端子部１１ａに第１ドア錠１４が接続されているのみで、第２ドア錠端子部１１ｂには第２ドア錠１５が接続されていないものとしていた。このようにすることにより、ドア錠１４，１５の施解錠状態を検出できないドア錠端子部１１ａ，１１ｂに基づいてブザー１７が作動されてしまうことを防止していた。
【００３４】
しかし、本実施形態では、マイコン１１は、ドア錠１４，１５の施錠状態または解錠状態を検出できるか否かにより、マイコン１１にドア錠１４，１５が接続されているか否かを自動的に判断するようになっている。このため、例えば、第１ドア錠１４のみがマイコン１１に接続されている場合には、第１ドア錠１４のみが駆動されるとともに、第１ドア錠１４の施解錠状態に基づいてのみブザー１７が作動される。よって、ブザー１７が誤動作することを確実に防止することができる。また、従来のスイッチ２１が不要となるため、部品点数を減らすことができる。さらに、手動操作による設定変更作業も不要となるため、煩雑な操作やスイッチ２１の設定忘れも確実に防止することができる。よって、こうしたマイコン１１を異なる数のドア錠を有する種々のドアに用いても、煩雑な操作を行う必要がなく、使いやすくすることができる。
【００３５】
（２）マイコン１１は、ドア錠１４，１５の施解錠状態を検出し、その検出結果を利用して各ドア錠端子部１１ａ，１１ｂにドア錠１４，１５が接続されているか否かを判断するようになっている。このため、各ドア錠端子部１１ａ，１１ｂにドア錠１４，１５が接続されているか否かを判断するためのセンサ等を別途設ける必要がなく、部品点数の増加を防止することができる。
【００３６】
（３）マイコン１１は、指令回路１６からの指令信号を読み込んだ後の所定時間と、各ドア錠１４，１５を施解錠した後の所定時間とのみに、同ドア錠１４，１５の施解錠状態を検出するようになっている。すなわち、マイコン１１は、必要なときにのみ同ドア錠１４，１５の施解錠状態を検出するようになっている。このため、ドア錠１４，１５の施解錠状態を常時検出させる場合に比べて消費電力を低く抑えることができる。
【００３７】
なお、本発明の実施形態は以下のように変更してもよい。
・  前記実施形態では、各ドア錠１４，１５の施解錠状態の検出結果から、各ドア錠１４，１５がマイコン１１に接続されているか否かを判断するようになっている。しかし、これに限らず、各ドア錠１４，１５がマイコン１１に接続されているか否かを検出するための検出センサをマイコン１１に別途接続し、これによってその旨を検出するようにしてもよい。
【００３８】
・  前記実施形態においてマイコン１１には、２つのドア錠端子部１１ａ，１１ｂが設けられている。しかし、これらドア錠端子部１１ａ，１１ｂは、２つに限らず３つ以上設けられていてもよい。このようにすれば、マイコン１１によって、３つ以上のドア錠を施解錠させることができる。
【００３９】
・  前記実施形態では、報知手段としてブザー１７を用い、ブザー音によって報知するようになっている。しかし、ブザー１７に代えてスピーカを用い、音声によって報知するようにしてもよい。また、ＬＥＤ表示器やライト等を用い、光によって報知するようにしてもよい。
【００４０】
・  前記実施形態において、ブザー１７は、指令信号に従ってドア錠１４，１５が施解錠されなかったときに作動されるようになっている。しかし、ブザー１７は、指令信号に従ってドア錠１４が施解錠されたときに作動されてもよい。
【００４１】
次に、特許請求の範囲に記載された技術的思想のほかに、前述した実施形態によって把握される技術的思想を以下に示す。
・  ドア錠の施解錠状態を検出する検出部を複数備え、所定のＩＤコードを読み込んで、そのＩＤコードに基づいてドア錠を施解錠するとともに、そのドア錠の施解錠状態に基づいて所定の報知手段を動作させるドアロック装置の制御方法であって、前記ＩＤコードを読み込んだ後に前記検出部を動作させ、前記ドア錠の施解錠状態を検出できた検出部と対応するドア錠を施解錠させた後に同検出部を再び動作させ、その検出結果に基づいて報知手段を動作させることを特徴とするドアロック装置の制御方法。
【００４２】
【発明の効果】
以上詳述したように、請求項１又は２に記載の発明によれば、報知手段の誤動作を防止するとともに、異なる数のドア錠を有する種々のドアに対して煩雑な操作を行うことなく適用させることができる。また、消費電力を低く抑えることができる。
【００４３】
請求項２に記載の発明によれば、部品点数の増加を防止することができる。
【図面の簡単な説明】
【図１】本発明の一実施形態を示すブロック図。
【図２】同実施形態のマイコンの処理動作を示すフローチャート。
【図３】同実施形態のマイコンの処理動作を示すフローチャート。
【符号の説明】
１１…ドアロック装置としてのマイクロコンピュータ（マイコン）、１１ａ…第１ドア錠端子部、１１ｂ…第２ドア錠端子部、１４…第１ドア錠、１５…第２ドア錠、１６…指令回路、１７…報知手段としてのブザー、Ｌｓ１…検出部としての第１施錠検出端子、Ｕｓ１…検出部としての第１解錠検出端子、Ｌｓ２…検出部としての第２施錠検出端子、Ｕｓ２…検出部としての第２解錠検出端子。
【図１】
0004833393.tif 000002
【図２】
0004833393.tif 000003
【図３】
0004833393.tif 000004